(57)【要約】【課題】ラックへの機器の取付作業を１人で容易に行うことを可能とし、構造や取り扱いも簡単な取付補助具を提供すること。【解決手段】機器を収納するラックの取付面にねじ止めされる連結部と、前記連結部が前記取付面にねじ止めされたときに、前記連結部から前記取付面の後方に延在し、１つの部材で形成される支持部と、前記連結部が前記取付面にねじ止めされたときに、前記支持部の上端部から、前記ラックの幅方向の内側方向及び前記前面フレームの後方に延在し、前記機器が載置される載置部と、を有するラックへの機器取付補助具。【選択図】図１
2017204563.tif 000002
【特許請求の範囲】
【請求項１】
機器を収納するラックの取付面にねじ止めされる連結部と、
前記連結部が前記取付面にねじ止めされたときに、前記連結部から前記取付面の後方に延在し、１つの部材で形成される支持部と、
前記連結部が前記取付面にねじ止めされたときに、前記支持部の上端部から、前記ラックの幅方向の内側方向及び前記前面フレームの後方に延在し、前記機器が載置される載置部と、
を有するラックへの機器取付補助具。
【請求項２】
前記連結部、前記支持部及び前記載置部が１つの部材で形成される請求項１に記載のラックへの機器取付補助具。
【請求項３】
前記連結部、前記支持部及び前記載置部が、１枚の金属板が折り曲げられることにより形成される請求項１に記載のラックへの機器取付補助具。
【請求項４】
前記連結部が前記取付面にねじ止めされたときに、前記載置部の前記ラックの幅方向の内側の端部から、更に下側方向に延在する補強部を有する請求項１に記載のラックへの機器取付補助具。
【請求項５】
前記連結部、前記支持部、前記載置部及び前記補強部が１つの部材で形成される請求項４に記載のラックへの機器取付補助具。
【請求項６】
前記連結部、前記支持部、前記載置部及び前記補強部が、１枚の金属板が折り曲げられることにより形成される請求項４に記載のラックへの機器取付補助具。
【請求項７】
前記載置部の前記ラックの奥行き方向の長さは、１５ｃｍ以上である請求項１〜６のいずれか１項に記載のラックへの機器取付補助具。
【発明の詳細な説明】
【技術分野】
【０００１】
この発明は、ラックへの機器取付補助具に関するものであり、より詳細には、ラックの取付面に取り付けるラックへの機器取付補助具に関する。
【背景技術】
【０００２】
サーバ等の機器を複数収納可能なラックが知られている。図４は、そのようなラックに機器を取り付ける従来の方法を示す図である。機器を収納するためのラック１００は、マウントアングル１１０を備えている。マウントアングル１１０は、その前面側に取付面１１１を備え、取付面１１１には、複数の取付穴１１２が設けられている。ラックに収納される機器２００は、取付穴１１２にねじ止めされることにより固定される。具体的には、機器２００をラック１００の内部に配置すると共に、取付穴１１２と機器２００側に設けられたねじ穴２０１とが連通するように位置合わせを行い、取付穴１１２とねじ穴２０１にねじ２０２を挿入して機器２００とマウントアングル１１０を連結することにより機器２００がラック１００に固定される。
【０００３】
このとき、作業を１人で行う場合は機器２００を一方の手で支持しながらねじ止めを行う必要があり、作業性が悪く、また機器２００の重量が重く、片手で支持することが難しい場合は、２人で作業を行い、１人が機器２００を支持し、もう１人がねじ止めを行う必要があり、作業コストが高くなるという問題があった。
【０００４】
そこで、１人で取付作業できるようにするために、下記特許文献１のような補助具が提案されている。特許文献１の補助具は、鉤状の引っ掛け部を一端に有する固定側バーと、固定側バーの他端と回動自在に連結し、ハンドルが設けられた可動側バーと、可動側バーの上面に設けられ、機器を支持する球状の回動部品を備えるものである。ラックのマウントアングルに方形状の穴を設けて、その方形状の穴に鉤状の引っ掛け部を係合させることによって、補助具をラックに固定する。そして、固定された補助具の回動部品に機器を仮置きすることができるので、ねじ止め作業を１人で行うことができ、また作業性が向上する。補助具をラックから取り外す際は、可動側バーに設けられたハンドルを引いて可動側バーをラックの前面側まで回動させると、補助具は機器の荷重から解放され、引っ掛け部をマウントアングルの方形状の穴から抜くことによって、簡単に取り外すことができる。
【先行技術文献】
【非特許文献】
【０００５】
【特許文献１】特開２００９−１８２１９２号公報
【発明の概要】
【発明が解決しようとする課題】
【０００６】
しかしながら、特許文献１の補助具は、（１）鉤状の引っ掛け部を一端に有する固定側バーと、固定側バーの他端と回動自在に連結し、ハンドルが設けられた可動側バーとを備えるものであって、その構造が複雑であり、（２）ラックのマウントアングルに設けられた穴の形状が円形状であると、補助具をマウントアングルに係合させることができない、もしくは安定して係合させることが困難である。
【０００７】
そこで、本発明は、ラックへの機器の取付作業を１人で容易に行うことを可能とし、ラックの取付穴の形状によらずに使用可能で、構造や取り扱いも簡単な取付補助具を提供することを目的の１つとする。
【課題を解決するための手段】
【０００８】
本発明の１つの態様は、機器を収納するラックの取付面にねじ止めされる連結部と、前記連結部が前記取付面にねじ止めされたときに、前記連結部から前記取付面の後方に延在し、１つの部材で形成される支持部と、前記連結部が前記取付面にねじ止めされたときに、前記支持部の上端部から、前記ラックの幅方向の内側方向及び前記前面フレームの後方に延在し、前記機器が載置される載置部と、を有するラックへの機器取付補助具を提供するものである。
【０００９】
前記連結部、前記支持部及び前記載置部は、１つの部材で形成されることができる。
【００１０】
前記連結部、前記支持部及び前記載置部は、１枚の金属板が折り曲げられることにより形成されることができる。
【００１１】
前記ラックへの機器取付補助具は、前記連結部が前記取付面にねじ止めされたときに、前記載置部の前記ラックの幅方向の内側の端部から、更に下側方向に延在する補強部を有することができる。
【００１２】
前記連結部、前記支持部、前記載置部及び前記補強部は、１つの部材で形成されることができる。
【００１３】
前記連結部、前記支持部、前記載置部及び前記補強部は、１枚の金属板が折り曲げられることにより形成されることができる。
【００１４】
前記載置部の前記ラックの奥行き方向の長さは、１５ｃｍ以上とすることができる。
【発明の効果】
【００１５】
上記構成を有する本発明によれば、ラックへの機器の取付作業を１人で容易に行うことを可能とし、ラックの取付穴の形状によらずに使用可能で、構造や取り扱いも簡単な取付補助具を提供することができる。
【図面の簡単な説明】
【００１６】
【図１】本発明の実施形態に係るラックへの機器取付補助具の斜視図である。
【図２】ラックの斜視図である。
【図３】ラックの取付面にラックへの機器取付補助具が取り付けられた状態を示す図である。
【図４】ラックに機器を取り付ける従来の方法を示す図である。
【発明を実施するための形態】
【００１７】
以下、本発明の実施形態について図面を参照して説明する。
【００１８】
（実施形態）
図１は、本発明の実施形態に係るラックへの機器取付補助具の斜視図である。図２は、ラックの斜視図である。図３は、ラックの取付面にラックへの機器取付補助具が取り付けられた状態を示す図である。
【００１９】
機器を収納するためのラック１００は、マウントアングル１１０を備えている。マウントアングル１１０は、その前面側に取付面１１１を備え、取付面１１１には、複数の取付穴１１２が所定の間隔で設けられている。ラックに収納される機器２００は、取付穴１１２にねじ止めされることにより固定される。
【００２０】
本実施形態に係るラックへの機器取付補助具１、連結部１０、支持部２０、載置部３０、補強部４０を備え、１枚のアルミ板が折り曲げられることにより形成される。
【００２１】
連結部１０にはねじ穴１１が２つ設けられており、ラック１００の取付穴１１２とねじ穴１１にねじ１２を挿入することにより、連結部１０は、ラック１００の取付面１１１にねじ止めされ、固定される。連結部１０に設けられるねじ穴１１の数は、任意の適切な数とすることができる。
【００２２】
支持部２０は、連結部１０に直交して折り曲げられたアルミ片からなり、連結部１０がラック１００の取付面１１１に前面側からねじ止めされるように形成され、連結部１０がラック１００の取付面１１１にねじ止めされたときに、連結部１０からラック１００の取付面１１１の後方に向かって延在する。
【００２３】
載置部３０は、支持部２０に直交して折り曲げられたアルミ片からなり、連結部１０がラック１００の取付面１１１にねじ止めされたときに、支持部２０の上端部から、ラック１００の幅方向の内側方向及びラック１００の取付面１１１の後方に向かって延在する。載置部３０には、機器２００が載置される。載置部３０のラック１００の奥行き方向の長さが大きいほど、機器２００の荷重をより多く支持することができるが、一般的なサーバ等の機器の大きさや機器取付補助具３の携行の容易性等を考慮すると、載置部３０のラック１００の奥行き方向の長さは、１５ｃｍ以上とすることが好ましい。もちろん、機器取付補助具の携行の更なる容易性等を考慮し、それよりも長さが小さいものとすることもできる。載置部３０の上面には、ゴムシート等の緩衝部材を設けてもよい。
【００２４】
補強部４０は、載置部３０に直交して折り曲げられたアルミ片からなり、連結部１０がラック１００の取付面１１１にねじ止めされたときに、載置部３０のラック１００の幅方向の内側の端部から下側方向に延在する。この補強部４０を設けることによって、機器取付補助具１の耐荷重を大きくすることができる。補強部４０は省略してもよい。
【００２５】
次に、本実施形態に係るラックへの機器取付補助具のラックへの取付方法について説明する。
【００２６】
まず、作業員は、マウントアングル１１０のどの位置に機器２００を取り付けるかを決定し、一対の機器取付補助具１、１が決定された位置よりも１ユニット下方の位置に取り付けられるように一対の機器取付補助具１、１をマウントアングル１１０、１１０の取付面１１１、１１１にねじ止めする。
【００２７】
続いて、作業員は、マウントアングル１１０、１１０の取付面１１１、１１１に取り付けられた一対の機器取付補助具１、１の載置部３０、３０の上に機器２００を載置し、機器２００が機器取付補助具１、１によって支持された状態で機器２００をマウントアングル１１０、１１０の取付面１１１、１１１にねじ止めする。
【００２８】
このような構成により、構造や取り扱いが簡単で、ラックの取付穴の形状によらずに使用可能とし、ラックへの機器の取付作業を１人で容易に行うことを可能とすることができる。
【００２９】
上記の実施形態においては、連結部、支持部、載置部、補強部は、１枚のアルミ板が折り曲げられることにより形成されていたが、これに限定されるものではなく、１枚のステンレス板等の１枚の他の任意の適切な金属板が折り曲げられることにより形成されてもよいし、任意の適切な樹脂等で形成された１つの部材で形成されてもよい。また、連結部、支持部、載置部、補強部の一部又は全部は、それぞれ別々の部材で、それらを連結して機器取付補助具を構成してもよい。
【００３０】
また、連結部、支持部、載置部、補強部の一部又は全部の形状は、上記の実施形態のような方形状の板状の形状に限定されるものではなく、他の任意の適切な形状とすることができる。
【００３１】
また、連結部と支持部、支持部と載置部、載置部と補強部のなす角度は、上記の実施形態のような直角に限定されるものではなく、他の任意の適切な角度とすることができる。
【００３２】
上記の実施形態においては、一対の機器取付補助具を使用して、機器をラックに取り付けたが、１つの機器取付補助具のみを使って、その１つの機器取付補助具の載置部に機器を載置して、機器をラックに取り付けてもよい。
【００３３】
以上、本発明について、例示のためにいくつかの実施形態に関して説明してきたが、本発明はこれに限定されるものでなく、本発明の範囲及び精神から逸脱することなく、形態及び詳細について、様々な変形及び修正を行うことができることは、当業者に明らかであろう。
【符号の説明】
【００３４】
１  ラックへの機器取付補助具
１０  連結部
１１  ねじ穴
１２  ねじ
２０  支持部
３０  載置部
４０  補強部
１００  ラック
１１０  マウントアングル
１１１  取付面
１１２  取付穴
２００  機器
２０１  ねじ穴
２０２  ねじ
【図１】
2017204563.tif 000003
【図２】
2017204563.tif 000004
【図３】
2017204563.tif 000005
【図４】
2017204563.tif 000006